(57)【要約】【課題】脚部を、本体を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供すること。【解決手段】加熱装置を用いて任意の温度に加熱した温水を貯湯するタンクを内蔵した本体２と、前記本体２に固定された脚部３とを備え、前記本体２は前記脚部３にて設置されるとともに、前記脚部３は運搬用載置部３ｋを有することを特徴とするもので、脚部３を、本体２を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供できる。【選択図】図２
2011021862.tif 000002
【特許請求の範囲】
【請求項１】
加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有することを特徴とする給湯機。
【請求項２】
脚部は、運搬用載置部に連通する開口部を有することを特徴とする請求項１に記載の給湯機。
【請求項３】
脚部は、本体に配設された配管接続部と接続する給湯配管部材を貫通させるための、開口部を有することを特徴とする請求項１または２に記載の給湯機。
【請求項４】
脚部の前方先端部は、本体に配設された配管接続部より後方に位置することを特徴とする請求項１〜３のいずれか１項に記載の給湯機。
【請求項５】
脚部は、本体と接続する接続用穴部と、前記本体を設置面に設置する設置用穴部とを有することを特徴とする請求項１〜４のいずれか１項に記載の給湯機。
【請求項６】
脚部を樹脂で形成したことを特徴とする請求項１〜５のいずれか１項に記載の給湯機。
【発明の詳細な説明】
【技術分野】
【０００１】
本発明は、給湯機の設置と運搬に関するものである。
【背景技術】
【０００２】
従来、この種の給湯機は、運搬や保管といった用途に使用するために載置具を用いている（例えば、特許文献１参照）。
【０００３】
上記特許文献１に記載の従来の技術によれば、本体の包装形態は、本体、本体の脚部、運搬に用いる載置具、包装部材から構成されている。
【０００４】
また、本体の脚部は、ステンレス鋼鈑や、鉄に鍍金処理を施した仕様で作られている板金製品がほとんどである。
【０００５】
また、本体を運搬に用いる載置具は、木材と鉄製釘を用いた仕様で作られているものがほとんどで、運搬用フォークリフトの爪を差し入れする開口部が設けられており、生産後の物流倉庫への移動や顧客の自宅に運搬し設置する際にも利用されている。
【先行技術文献】
【特許文献】
【０００６】
【特許文献１】特開２００４−５１１５３号公報
【発明の概要】
【発明が解決しようとする課題】
【０００７】
しかしながら、上記特許文献１に記載の載置具は、顧客の自宅への運搬が完了すると、少なくても２名以上で本体を持ち上げ、本体から載置具を脱着するといった手間や、脱着した後は、載置具を産業廃棄物として廃棄するといった地球環境面などで課題を有している。
【０００８】
本発明は上記従来の課題を解決するもので、脚部を、本体を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供することを目的とする。
【課題を解決するための手段】
【０００９】
前記従来の課題を解決するために本発明の給湯機は、加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有することを特徴とするもので、脚部を、本体を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供できる。
【発明の効果】
【００１０】
本発明によれば、脚部を、本体を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供できる。
【図面の簡単な説明】
【００１１】
【図１】本発明の実施の形態１における給湯機の斜視図
【図２】同給湯機の運搬時の形態図
【図３】同給湯機の設置状態図
【図４】（ａ）同給湯機の脚部上面図（ｂ）同給湯機の脚部正面図（ｃ）同給湯機の脚部側面図（ｄ）同給湯機の脚部下面図
【図５】図４のＡ−Ａ断面図
【図６】図４のＢ−Ｂ断面図
【図７】図４のＣ−Ｃ断面図
【図８】同給湯機の脚部接続部の断面図
【発明を実施するための形態】
【００１２】
第１の発明は、加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有することを特徴とするもので、脚部を、本体を設置固定する脚としても、また、運搬用として載置具としても利用できるようにすることで、運搬後に、載置具を脱着する手間や廃棄することも省略でき、人的労働力の低減と産業廃棄物の削減を実現する給湯機を提供できる。
【００１３】
第２の発明は、特に、第１の発明の脚部が運搬用載置部に連通する開口部を有することを特徴とするもので、運搬用フォークリフトの爪部を開口部に挿入し、運搬用の載置部にて運搬用フォークリフトの爪部で本体を載置して、運搬移動するできることで、運搬後に、載置具を脱着する手間や廃棄することも省略でき、人的労働力の低減と産業廃棄物の削減を実現する給湯機を提供できる。
【００１４】
第３の発明は、特に、第１または第２発明の脚部は、本体に配設された配管接続部と接続する給湯配管部材を貫通させるための、開口部を有することを特徴とするもので、本体に設けられた複数の配管接続部と接続される給湯配管部材を、開口部を貫通させるなどして利用できるので、施工性も良くすることができる。
【００１５】
第４の発明は、特に、第１〜第３のいずれかの発明の脚部の前方先端部は、本体に配設された配管接続部より後方に位置することを特徴とするもので、本体の前方での施工性を向上できる。
【００１６】
第５の発明は、特に、第１〜第４のいずれかの発明の脚部は、本体と接続する接続用穴部と、前記本体を設置面に設置する設置用穴部とを有することを特徴とするもので、運搬後の本体の設置も容易に施工することができる。
【００１７】
第６の発明は、特に、第１〜第５のいずれかの発明の脚部を、樹脂で形成したことを特徴とするもので、樹脂成型装置で大量生産が可能になりコストを安価にできるとともに、樹脂の再生材料も使用することが可能となり、本体の小型・軽量化も実現できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における給湯機の斜視図であり、図２は給湯機の荷扱い時の形態図、図３は給湯機の設置状態図、図４は湯式給湯機の脚部の四面図、図５は湯式給湯機の脚部の縦リブ形状の局部断面図、図５は給湯機の脚部の縦リブ形状の局部断面図、図６は給湯機の脚部のタンク取付け穴部の局部断面図、図７は湯式給湯機の脚部の設置用穴部の局部断面図、図８は給湯機の脚部のタンク接続部の局部断面図である。
【００２０】
図１にて、１は給湯機であり、加熱装置を用いて任意の温度に加熱した温水を貯めておくタンク（図示せず）を内蔵した本体２と、本体２には、複数の配管接続部２ａと、本体２内の水を排出する排水バルブ２ｂと、本体２を設置固定する脚部３を構成している、脚部３は、タンク本体２を設置し固定すると同時に運搬用の載置具としても利用される。
【００２１】
次に、脚部３について利用の詳細を図２及び図３とともに説明する。生産工場で完成された給湯機１は、運搬用フォークリフト５により、本体２に接続されている脚部３の開口部３ａに運搬用フォークリフト５の爪部５ａを挿入し、開口部３ａと連通した運搬用の載置部３ｋで、運搬用フォークリフト５の爪部５ａに、本体２を載置して運搬移動する。
【００２２】
さらに顧客の住宅へと運搬された給湯機１は、タンク本体２の複数の配管接続部２ａから市水に配管される給水配管１０と、加熱装置６に配管される熱源配管１１と、住宅の風呂８に配管される風呂配管１２と、シャワー９に配管される給湯配管１３へと施工する際に住宅７の大きさや建て方によって、貯湯式給湯装置１を設置する位置は特定できないため、本体２の脚部３に配管を貫通させるための開口部３ａを側面に設けることにより、どの方向からも自由に配管できるので施工性も向上する。
【００２３】
ただし、脚部３の前方先端部は、配管接続部２ａより後方に位置させることで、本体２前方での施工性を向上させている。
【００２４】
また、図４〜図８に示すように、脚部３は略平面直方体で形成され、本体２との接続部である上面部３ｃの面積は、底面部２ｃの面積以下になるように形成され、脚部３の上面部３ｃには、複数のタンク取付け部３ｆの近傍に複数のタンク取り付け穴部３ｅと、本体２の排水口の近傍に逃がし穴部３ｇと、側面には、本体２の複数の接続配管部材を貫通させるための複数の開口部３ａと、底面部３ｄには、給湯機１が顧客の住宅に運搬され設置時に固定接続に用いられるアンカーボルト（図示せず）を挿入するため複数の設置用穴部３ｂを設けている。
【００２５】
なお、前記本体２の脚部３に配管を貫通させるための開口部３ａと、運搬用フォークリフト５の爪部５ａを挿入するための開口部３ａとは、上面部３ｃの下方で連通している。ちなみに、開口部３ａと連通した運搬用の載置部３ｋは、上面部３ｃの裏面に相当している。
【００２６】
さらに、脚部３には本体の重量を支えるために縦リブ部３ｈで構成され、本体２のタンク接続部２ｅは、本体２の底板穴部２ｃと脚部３の設置用穴部３ｂを利用して、平ワッシャ１４ａを嵌めた締付けナット１４により接続固定されており、特にタンク取付け部３ｅを中心に強度を向上させている。さらに脚部３は、樹脂成型で形成できる形状としている。
【００２７】
以上のように、本実施の形態の形態によれば、加熱装置を用いて任意の温度に加熱した温水を貯めておくタンク（図示せず）を内蔵した本体２と、本体２には、複数の配管接続部２ａと、本体２の水を排出する排水バルブ２ｂと、本体２を設置固定する脚部３を備え、脚部３は、本体２を設置し固定すると同時に運搬用の載置具とすることにより、本体２の脚部３を設置固定や運搬用として載置具としても利用することができる。
【００２８】
また、脚部３を、略平面直方体で形成され、脚部３の側面にタンク本体２に備えられた複数の配管接続部２ａと接続される給湯配管部材と、運搬用フォークリフトの爪挿入部の開口部３ａを形成することにより、運搬用フォークリフトの爪部５ａを挿入できることで、本体２を安全に運搬できることや、本体２に備えられた複数の配管接続部２ａと接続さ
れる給湯配管部材も空間を貫通させるなどして利用できるので、施工性も良くすることができる。
【００２９】
また、脚部３を、本体２の底面部２ｃに接続手段により接続され、底面部２ｃの面積より以下に形成することにより、無駄な面積を省き軽量化できるので安価できることや、本体２の底面部２ｃからの出っ張りもなく外見的な見栄えも良くすることができる。
【００３０】
また、脚部３は、本体２と接続される脚部３の上面部３ｃに、本体２との複数のタンク取付け穴部３ｅと、本体２の排水口の近傍に逃がし穴部３ｇと、本体２を設置するための複数の設置用穴部３ｂを形成することにより、本体２と脚部３の接続は、平ワッシャ１４ａを嵌めた締付けナット１４で確実に締め付けできることや、本体２の施工時に排水口（図示せず）の位置も見やすくので、排水配管処理と本体２を設置するための複数の設置用穴部３ｂを形成しているので、運搬後の設置も容易に施工することができる。
【００３１】
また、脚部３は、本体２と接続される脚部３の複数の接続箇所近傍に縦リブ部３ｈを成形することにより、本体２の重量は、脚部３の複数の接続箇所近傍に縦リブ部３ｈを成形されているので確実に支え、安心して設置することができる。
【００３２】
また、脚部３は、樹脂で一体成形することにより、樹脂成型装置で大量生産が可能になりコストを安価にできることや樹脂の再生材料も使用することが可能とできる。
【産業上の利用可能性】
【００３３】
以上のように、本発明は、温水をためてそれを供給する給湯機に適用され、例えば、家庭用の貯湯式ヒートポンプ給湯機あるいは、電気ヒーターをタンクに内蔵した電気温水器などにも適用できる。
【符号の説明】
【００３４】
１  給湯機
２  本体
２ａ  配管接続部
２ｅ  タンク接続部
３  脚部
３ａ  開口部
３ｂ  設置用穴部
３ｃ  上面部
３ｄ  下面部
３ｅ  タンク取付け穴部
３ｆ  タンク取付け部
４  載置部
５  運搬用フォークリフト
５ａ  運搬用フォークリフトの爪部
６  加熱装置
【図１】
2011021862.tif 000003
【図２】
2011021862.tif 000004
【図３】
2011021862.tif 000005
【図４】
2011021862.tif 000006
【図５】
2011021862.tif 000007
【図６】
2011021862.tif 000008
【図７】
2011021862.tif 000009
【図８】
2011021862.tif 000010